(57)【特許請求の範囲】
【請求項１】
対向して配置された一対の基板と、一方の基板の内側面に平行に配置され一対の電極を一組とする複数組の主放電用の主電極と、主電極に沿って形成された複数の放電セルと、主電極と交差する方向に２本の放電セル列毎に配置されパネル駆動時には主放電を発生させるべき放電セルを選択するための走査電極として用いられる複数本の選択用電極とを備え、
選択用電極とほぼ平行に、放電セルを区画するための隔壁が設けられ、
選択用電極が、隔壁の位置に隔壁一本置きに設けられるとともに、選択用電極の設けられた隔壁を挟んで主電極に沿って隣接する放電セルに向けてそれぞれ延出された、一対の主電極の一方側に対応する第１延出部と、他方側に対応する第２延出部とを有してなるプラズマディスプレイパネル。
【請求項２】
対向して配置された一対の基板と、一方の基板の内側面に平行に配置され一対の電極を一組とする複数組の主放電用の主電極と、主電極に沿って形成された複数の放電セルと、主電極と交差する方向に２本の放電セル列毎に配置されパネル駆動時には主放電を発生させるべき放電セルを選択するための走査電極として用いられる複数本の選択用電極とを備え、
選択用電極とほぼ平行に、放電セルを区画するための隔壁が設けられ、
選択用電極は、１本の選択用電極が２本に分岐されて各分岐部が隔壁と隔壁との間に設けられるとともに、それらの分岐部が、主電極に沿って隣接する放電セルに向けてそれぞれ突出された、一対の主電極の一方側に対応する第１突出部と、他方側に対応する第２突出部とを有してなるプラズマディスプレイパネル。
【請求項３】
プラズマディスプレイパネルが横長の長方形パネルからなり、そのパネルに対して、選択用電極が水平方向に、主電極が垂直方向に、それぞれ配置されてなる請求項１または２記載のプラズマディスプレイパネル。
【請求項４】
主電極に沿って同色の蛍光体層が形成されてなる請求項１〜３のいずれか１つに記載のプラズマディスプレイパネル。
【発明の詳細な説明】
【０００１】
【発明の属する技術分野】
この発明は、プラズマディスプレイパネル（ＰＤＰ）に関し、さらに詳しくは、マトリクス状に配置された各放電セル内に一対の主電極をそれぞれ配置したＰＤＰに関する。
【０００２】
【従来の技術】
ＰＤＰは視認性に優れ、高速表示が可能であり、しかも比較的大画面化の容易な薄型表示デバイスである。マトリクス表示方式の、なかでも面放電型のＰＤＰは、駆動電圧の印加に際して対となる主電極を同一の基板上に配列したＰＤＰであり、蛍光体によるカラー表示に適している。
【０００３】
従来、例えばＡＣ駆動方式の３電極面放電型のカラーＰＤＰは、以下のような構成となっている。すなわち、図１０に示すように、前面側の基板１１の内側面上には、表示ラインＬ毎に面放電（表示用の主放電であるため表示放電と呼ばれたり、アドレス後の維持放電であるためサステイン放電と呼ばれたりする。以下サステイン放電という）発生用の主電極対（表示放電用の電極であるため表示電極と呼ばれたり、サステイン放電用の電極であるためサステイン電極と呼ばれたりする。以下サステイン電極という）Ｘ，Ｙが水平方向にほぼ平行に配置され、その上に誘電体層１７、及びＭｇＯからなる保護膜１８が形成されている。サステイン電極Ｘ，Ｙは、通常、前面側の基板に設けられるため、透明電極５１と金属電極（バス電極）５２とで形成されている。
【０００４】
また、背面側の基板２１の内側面上には、下地層２２、アドレス放電発生用の複数のアドレス（データ用）電極Ａ、及び誘電体層２４が順次形成され、その上にアドレス電極Ａを挟むように放電を物理的に区分するためのストライプ状の多数のリブ（隔壁）２９が垂直方向（サステイン電極と交差する方向）にほぼ平行に設けられており、リブ間の細長い溝内には蛍光体層２８Ｒ，２８Ｇ，２８Ｂが形成されている。
【０００５】
この形式のＰＤＰでは、画面の表示は以下のようにして行う。サステイン電極Ｘ，Ｙの内の一方のサステイン電極Ｙを走査（スキャン）電極として用いて順次電圧を印加してゆき、その間に所望のアドレス電極Ａに電圧を印加して、アドレス電極Ａと一方のサステイン電極Ｙとの間にアドレス放電を発生させることにより、点灯すべき放電セルを選択（これを一般に「アドレッシング」という）する。
【０００６】
その後、アドレッシングの際に形成した壁電荷を利用して、サステイン電極Ｘ，Ｙ間で輝度と色合いに応じた回数だけサステイン放電を発生させる（放電セルを点灯する）。つまり、ＲＧＢの３つの放電セルで１画素が構成されている場合には、ＲＧＢの内の何色の放電セルを何回点灯させるかによって所望の色合いを再現することができるので、その再現に必要な回数だけサステイン放電を発生させるようにしている。
【０００７】
このサステイン放電の放電回数による階調表示（カラー再現）は、通常、以下のような方法で行われている。１フレーム（１フレームが２フィールドで構成されている場合には１フィールド）を、例えば８つのサブフィールドに分け、これらのサブフィールドの輝度の相対比が１：２：４：８：１６：３２：６４：１２８となるように重み付けをして各サブフィールドのサステイン放電の回数を設定する。これにより、ＲＧＢの各色毎に２５６段階の輝度設定を行うことができるので、２５６3種類の色が表示可能となる。
【０００８】
このように、従来の３電極面放電型のＰＤＰでは、１フレーム中に発光時間を制御したサブフレームを複数挿入することにより階調を得ている。したがって、表示ライン数が増加したり、階調数が増加すると、アドレス期間が短くなり、アドレスが困難となる。
【０００９】
この問題を解決するには、従来では、電極を画面の上下で２分割し、２ラインの同時走査を行うことで２倍のアドレス期間を得ていた。
【００１０】
【発明が解決しようとする課題】
現在実用化されているＰＤＰは、大画面化、大画素容量化、多階調化の方向に進んでいる。しかし、大画素容量化、多階調化が進むほど、１サブフレームの時間は短くなり、サブフレーム中のアドレス期間が短くなれば、十分な輝度が実現できないという不具合が生ずる。
【００１１】
この発明は、このような事情を考慮してなされたもので、３電極面放電型のＰＤＰにおいて、アドレス期間を半減できるようにしたプラズマディスプレイパネルを提供するものである。
【００１２】
【課題を解決するための手段】
この発明は、対向して配置された一対の基板と、一方の基板の内側面に平行に配置され一対の電極を一組とする複数組の主放電用の主電極と、主電極に沿って形成された複数の放電セルと、主電極と交差する方向に２本の放電セル列毎に配置されパネル駆動時には主放電を発生させるべき放電セルを選択するための走査電極として用いられる複数本の選択用電極とを備え、選択用電極とほぼ平行に、放電セルを区画するための隔壁が設けられ、選択用電極が、隔壁の位置に隔壁一本置きに設けられるとともに、選択用電極の設けられた隔壁を挟んで主電極に沿って隣接する放電セルに向けてそれぞれ延出された、一対の主電極の一方側に対応する第１延出部と、他方側に対応する第２延出部とを有してなるプラズマディスプレイパネルである。
【００１３】
【発明の実施の形態】
この発明において、一対の基板としては、ガラス、石英、シリコン等の基板や、これらの基板上に、電極、絶縁膜、誘電体層、保護膜等の所望の構成物を形成した基板が含まれる。
【００１４】
主電極となる一対の帯状電極、及び選択電極は、当該分野で通常用いられる公知の材料及び方法を用いて形成したものを適用することができる。例えばＩＴＯのような透明導電膜をフォトリソグラフィの手法でパターニングした透明電極や、Ｃｒ／Ｃｕ／Ｃｒのような金属導電膜をフォトリソグラフィの手法でパターニングした金属電極を適用することができる。
【００１５】
放電セルは、当該分野で通常用いられる隔壁で区画することにより形成したものを適用することができる。
【００１６】
この発明において、放電セル列とは、通常表示ラインと呼ばれる、選択電極に沿って配置された放電セルの配列ラインを意味する。
【００１７】
上記構成のＰＤＰにおいては、パネルが横長の長方形パネルからなり、そのパネルに対して、選択用電極が水平方向に、主電極が垂直方向に、それぞれ配置されていることが望ましい。また、選択用電極とほぼ平行に、放電セルを区画するための隔壁が設けられていることが望ましい。
【００１８】
選択用電極は、隔壁の位置に隔壁一本置きに設けられるとともに、選択用電極の設けられた隔壁を挟んで主電極に沿って隣接する放電セルに向けてそれぞれ延出された、一対の帯状電極の一方側に対応する第１延出部と、他方側に対応する第２延出部とを有した構成であってもよい。
【００１９】
あるいは、選択用電極は、１本の選択用電極が２本に分岐されて各分岐部が隔壁と隔壁との間に設けられるとともに、それらの分岐部が、主電極に沿って隣接する放電セルに向けてそれぞれ突出された、一対の帯状電極の一方側に対応する第１突出部と、他方側に対応する第２突出部とを有した構成であってもよい。
蛍光体層は、主電極に沿って同色の蛍光体層が形成されていることが望ましい。
【００２０】
別の観点によれば、この発明は、対向して配置された一対の基板と、一方の基板の内側面に平行に配置され一対の帯状電極を一組とする複数組の主放電用の主電極と、主電極に沿って形成された複数の放電セルと、主電極と交差する方向に２本の放電セル列毎に配置されパネル駆動時には主放電を発生させるべき放電セルを選択するための走査電極として用いられる複数本の選択用電極とを備えてなるプラズマディスプレイパネルを用いて、
点灯すべき放電セルの選択に際し、選択用電極を走査電極として用いて走査し１本の選択用電極に電圧を印加した時に、その選択用電極と主電極の一方の電極間とその選択用電極と主電極の他方の電極間とで選択用の放電を同時に発生させることで、１本の選択電用極で２本の放電セル列を同時に選択することを特徴とするプラズマディスプレイパネルの駆動方法である。
【００２１】
また、このＰＤＰの駆動方法において、走査方向に対して画面を２分割し、分割された領域を独立に駆動することにより、４本の放電セル列を同時に選択することを特徴とするプラズマディスプレイパネルの駆動方法である。
【００２２】
以下、図面に示す実施例に基づいてこの発明を詳述する。なお、これによってこの発明が限定されるものではない。
【００２３】
図１はこの発明のプラズマディスプレイパネルの一実施例の構成を示す説明図である。
この図において、３１はＰＤＰであり、このＰＤＰ３１内には、サステイン電極Ｘ，Ｙとアドレス電極Ａが配置されている。３２は入力された奇数ラインデータに基づいてサステイン電極Ｘを駆動するＸドライバ、３３は入力された偶数ラインデータに基づいてサステイン電極Ｙを駆動するＹドライバである。
【００２４】
本実施例のＰＤＰ３１は、サステイン電極Ｘ，Ｙが垂直方向に配列され、アドレス電極Ａ及びリブが水平方向に配列された構成となっている。アドレス電極Ａはリブ一本おきに設けられている。その他の誘電体層の構成などは図１０で示したＰＤＰ１０と同じである。したがって、構造的には、図１０で示したＰＤＰ１０を右又は左に９０度回転させ、アドレス電極Ａの本数を半分にした構造となっている。
【００２５】
具体的には、ガラスからなる前面側の基板の内側面上には、面放電発生用の多数のサステイン電極Ｘ，Ｙが垂直方向にほぼ平行に配置され、その上に誘電体層及びＭｇＯからなる保護膜が形成されている。サステイン電極Ｘ，Ｙは、それぞれ透明電極と金属電極（バス電極）とで形成されている。ガラスからなる背面側の基板の内側面上には、下地層、アドレス電極Ａ、誘電体層が順次形成され、その上にストライプ状の多数のリブが水平方向にほぼ平行に設けられており、リブ間の細長い溝内にはカラー表示用の３色の蛍光体層が形成されている。この蛍光体層は、サステイン電極Ｘ，Ｙに沿って同色の蛍光体層が形成されている。
【００２６】
通常、画面の形状は横長である。一般に、ＰＤＰでは、走査時間の短縮を図るため、短辺側の電極を走査する。このため、本ＰＤＰでは、アドレス電極Ａを短辺側に配置しているので、アドレス電極Ａを走査電極として用いて走査を行うようにしている。
【００２７】
このように、本ＰＤＰでは、走査は、アドレス電極Ａを走査電極として用いて、図中Ｓで示す方向に順次走査を行う。つまり、アドレスライン（アドレス電極Ａ）を順次走査して、１本のアドレス電極Ａを選択状態にし、サステイン電極Ｘ，Ｙ側にデータを入力することにより画面を表示する。
【００２８】
図２は１本のアドレス電極Ａが２本の表示ライン（放電セル列）に対応している状態を示す説明図である。
本ＰＤＰ３１では、点灯すべき放電セルの選択（アドレッシング）に際しては、２本のサステイン電極Ｘ，Ｙを、隣接する２本の表示ラインＬ1，Ｌ2に対応させることにより、１本のアドレス電極Ａで２本の表示ラインＬ1，Ｌ2を同時にアドレスする。
【００２９】
このため、アドレス電極Ａを表示ラインＬ1，Ｌ2の中間に配置し、アドレス電極Ａに第１延出部Ｅ１と第２延出部Ｅ２を設けて、第１延出部Ｅ１を表示ラインＬ1に、第２延出部Ｅ２を表示ラインＬ2にそれぞれ対応させている。
【００３０】
そして、走査に際してアドレス電極Ａに電圧が印加された時、表示ラインＬ1の放電セルＰ1を選択する場合には、サステイン電極Ｘに電圧を印加して、アドレス電極Ａの第１延出部Ｅ１とサステイン電極Ｘとの間でアドレス放電Ｈ１を発生させ、表示ラインＬ2の放電セルＰ2を選択する場合には、サステイン電極Ｙに電圧を印加して、アドレス電極Ａの第２延出部Ｅ２とサステイン電極Ｙとの間でアドレス放電Ｈ２を発生させるようにしている。
【００３１】
したがって、アドレス電極Ａはリブ１本おきにしか配置されておらず、このため、図１０のＰＤＰ１０と比較した場合、アドレス電極Ａの本数は半減されている。
【００３２】
図３はアドレス電極Ａの具体的な形状を示す説明図である。この図では、誘電体層等は省略している。図中、１２は透明電極、１３は金属電極、２１は背面側の基板、２９はリブである。
【００３３】
この図に示すように、アドレス電極Ａはリブ２９の下に配置されており、アドレス電極Ａには、表示ラインＬ1の放電セル用の第１延出部Ｅ１と、表示ラインＬ2の放電セル用の第２延出部Ｅ２とが設けられている。
【００３４】
図４はＰＤＰ３１を平面的にみた場合のアドレス電極Ａの配置を示す説明図である。
この図に示すように、アドレス電極Ａをリブ２９の下に配置し、サステイン電極Ｘを用いて放電を発生させる画素Ｐ11，Ｐ12，Ｐ31，Ｐ32に対しては、サステイン電極Ｘ上に第１延出部Ｅ１を配置し、サステイン電極Ｙを用いて放電を発生させる画素Ｐ21，Ｐ22に対しては、サステイン電極Ｙ上に第２延出部Ｅ２を配置し、これにより、アドレッシングの際、アドレス電極Ａとサステイン電極Ｘとの間で放電を発生させる時は、アドレス電極Ａとサステイン電極Ｙとの間で放電が発生しないようにし、アドレス電極Ａとサステイン電極Ｙとの間で放電を発生させる時は、アドレス電極Ａとサステイン電極Ｘとの間で放電が発生しないようにしている。
【００３５】
図５はパネル駆動の際の電極の選択状態を示す説明図、図６はパネルの駆動波形図である。パネルの駆動は以下のようにして行う。すなわち、図５及び図６に示すように、１サブフレームの期間毎に、まず、全てのサステイン電極ｘ，ｙ間に所定の電圧を印加して、全ての放電セルの電荷を消去する。
次のアドレス期間では、アドレス電極Ａを走査電極として用いて、Ａ1，Ａ2，……，ＡK-1，ＡKの順に順次電圧を印加してゆき、その間に、サステイン電極ｘ1，ｘ2，……，ｘm-1，ｘmには、Ｘドライバ３２で奇数表示ラインＬ11，Ｌ21，……，Ｌ(K-1)1，ＬK1のデータに応じた電圧を印加し、サステイン電極ｙ1，ｙ2，……，ｙm-1，ｙmには、Ｙドライバ３３で偶数表示ラインＬ12，Ｌ22，……，Ｌ(K-1)2，ＬK2のデータに応じた電圧を印加して、アドレス電極Ａとサステイン電極Ｘ、又はアドレス電極Ａとサステイン電極Ｙとの間でアドレス放電を発生させることにより、点灯すべき放電セルを選択する。
【００３６】
その後のサステイン期間では、図１０のＰＤＰ１０と同様のサステイン放電を行う。すなわち、アドレッシングの際に形成した壁電荷を利用して、全てのサステイン電極ｘ，ｙ間で輝度と色合いに応じた回数だけサステイン放電を発生させる。
【００３７】
本ＰＤＰ３１では、アドレッシングの終了時点で、サステイン電極Ｘ側に壁電荷が形成された放電セルと、サステイン電極Ｙ側に壁電荷が形成された放電セルが混在することになる。したがって、サステイン電極Ｘからサステイン電極Ｙへ、又はサステイン電極Ｙからサステイン電極Ｘへ、一律にサステイン電圧を印加した場合、点灯しない放電セルが発生するが、これについては、点灯しない放電セルが発生するのは第１回目の点灯だけであり、２回目以降については壁電荷の形成された放電セルは全て点灯するため、従来のサステイン放電を開始してもなんら問題はない。
【００３８】
アドレス電極Ａ及びサステイン電極Ｘ，Ｙに印加する駆動電圧は以下のようにして選択する。
・アドレス選択時の電圧をＶａｏｎ（＞０）、
・アドレス非選択時の電圧をＶａｏｆｆ、
・アドレス電極−サステイン電極間の放電開始電圧をＶｆａ、
・点灯選択時のサステイン電極への印加電圧をＶｓｕｓｏｎ（＜０）、
・非点灯選択時のサステイン電極への印加電圧をＶｓｕｏｆｆ、
・サステイン電極Ｘ−Ｙ間の放電開始電圧をＶｆｘｙ、
・非アドレス電極間の放電開始電圧をＶｆｕａ、
としたとき、
【００３９】
・Ｖａｏｎ−Ｖｓｕｏｎ＞Ｖｆａ  （アドレス放電を発生させる条件）
・Ｖａｏｎ−Ｖｓｕｏｆｆ＜Ｖｆａ（非選択セルに放電を発生させない条件）
・Ｖａｏｎ−Ｖｓｕｓｏｎ＜Ｖｆｕａ（非アドレス電極間で放電を発生させない条件）
が成り立つような電圧を選べばよい。
【００４０】
例えば、Ｖｆａ＝２５０Ｖ，Ｖｆｘｙ＝１５０Ｖのとき、
例えば、Ｖａｏｎ＝１５０Ｖ，Ｖａｏｆｆ＝０Ｖ，Ｖｓｕｏｎ＝−１１０Ｖ，Ｖｓｕｏｆｆ＝０ｖとするとこれらの条件を満たす。
【００４１】
本ＰＤＰ３１の駆動に際しては、非アドレス電極間で放電を発生させない条件ができなければならないが、図３及び図４で示したような電極構成をとることで、非アドレス電極間で放電を発生させない範囲の駆動電圧を実現できる。
【００４２】
本ＰＤＰ３１では、走査時に、同時に２本の表示ラインを選択できるので、アドレス期間が図１０で示したＰＤＰ１０の約２分の１になり、２倍の輝度が実現可能となる。
【００４３】
図７はＰＤＰの他の例を示す説明図であり、ＰＤＰの画面を上下に分割した例を示したものである。この図に示すように、本ＰＤＰ３４では、画面を上下に２分割している。そして、２本のアドレス電極Ａm1，Ａn1に同時に走査電圧を印加し、さらにまた２本のアドレス電極Ａm2，Ａn2に同時に走査電圧を印加するというように、２本同時に走査する。
【００４４】
このように２ライン同時走査を行えば、同時に４本の表示ラインを選択できるので、アドレス期間が図１０で示したＰＤＰ１０の約４分の１になり、４倍の輝度が実現可能となる。
【００４５】
図８はアドレス電極の他の構成例を示す説明図、図９（ａ）は図８のＢ−Ｂ断面を示す説明図、図９（ｂ）は図８のＣ−Ｃ断面を示す説明図である。
【００４６】
本例のアドレス電極Ａは、リブ２９の下ではなく、放電セルの下側に、表示ラインＬ1，Ｌ2に対応してアドレス電極Ａ１及びアドレス電極Ａ２として配置されており、アドレス電極Ａ１とアドレス電極Ａ２は接続されて１本のアドレス電極Ａとなっている。
【００４７】
アドレス電極Ａ１には、図９（ａ）に示すように、サステイン電極Ｘに対応する部分がサステイン電極Ｘに近づくよう第１突出部Ｔ１が形成され、アドレス電極Ａ２には、図９（ｂ）に示すように、サステイン電極Ｙに対応する部分がサステイン電極Ｙに近づくように第２突出部Ｔ２が形成されている。
【００４８】
アドレス電極Ａをこのように形成し、放電開始電圧を低くすることにより、アドレス電極Ａ１側ではサステイン電極Ｘ側とのみアドレス放電を発生させ、アドレス電極Ａ２側ではサステイン電極Ｙ側とのみアドレス放電を発生させることができ、これにより図３及び図４で示したＰＤＰ３１と同様な効果を得ることができる。
【００４９】
このように、サステイン電極Ｘ，Ｙを垂直方向に配置し、アドレス電極Ａを水平方向に配置して、２本の表示ラインに対して１本のアドレス電極Ａを対応させ、アドレス電極Ａを走査電極として用いて走査して、同時に２本の表示ラインを選択することにより、図１０で示したＰＤＰと比較して、アドレス時間を半減させることができ、２倍の輝度が実現可能となる。
【００５０】
【発明の効果】
この発明によれば、２本の放電セル列毎に選択用電極を配置し、パネル駆動時には、その選択用電極を走査電極として用いて走査するので、同時に２本の放電セル列を走査することができ、これによりサステイン電極を水平方向に配置しアドレス電極を垂直方向に配置した従来のＰＤＰと比較して、アドレス電極の本数を半減でき、アドレス期間を半分にすることができる。
【図面の簡単な説明】
【図１】この発明のプラズマディスプレイパネルの一実施例の構成を示す説明図である。
【図２】実施例のＰＤＰで１本のアドレス電極が２本の表示ラインに対応している状態を示す説明図である。
【図３】実施例のＰＤＰのアドレス電極の具体的な形状を示す説明図である。
【図４】実施例のＰＤＰを平面的にみた場合のアドレス電極の配置を示す説明図である。
【図５】実施例のＰＤＰの駆動の際の電極の選択状態を示す説明図である。
【図６】実施例のＰＤＰの駆動波形図である。
【図７】ＰＤＰの他の例を示す説明図である。
【図８】アドレス電極の他の構成例を示す説明図である。
【図９】図８の断面を示す説明図である。
【図１０】従来のＡＣ駆動方式の３電極面放電型のＰＤＰの構成を示す斜視図である。
【符号の説明】
１１  前面側の基板
１２  透明電極
１３  金属電極
２１  背面側の基板
２９  リブ
３１  ＰＤＰ
３２  Ｘドライバ
３３  Ｙドライバ
Ａ  アドレス電極
Ｅ１  第１延出部
Ｅ２  第２延出部
Ｌ  表示ライン
Ｐ  放電セル
Ｔ１  第１突出部
Ｔ２  第２突出部
Ｘ，Ｙ  サステイン電極
【図１】
0004165628.tif 000002
【図２】
0004165628.tif 000003
【図３】
0004165628.tif 000004
【図４】
0004165628.tif 000005
【図５】
0004165628.tif 000006
【図６】
0004165628.tif 000007
【図７】
0004165628.tif 000008
【図８】
0004165628.tif 000009
【図９】
0004165628.tif 000010
【図１０】
0004165628.tif 000011